(57)【特許請求の範囲】
【請求項１】
長手方向（ＭＤ）および横方向（ＣＭＤ）ならびに第１の面および第２の面を備えた工業用布（１）であって、前記工業用布（１）は、第１の縁（Ｅ１）から第２の縁（Ｅ２）まで前記横方向に延び、前記工業用布（１）は、
‐二重たて糸を有し、前記二重たて糸は、第１の縦方向ヤーン（Ｕ１及びＵ２）を有する第１のたて糸および第２の縦方向ヤーン（Ｌ１及びＬ２）を有する第２のたて糸を含み、前記第１のたて糸の前記ヤーン（Ｕ１及びＵ２）は、前記第２のたて糸の前記ヤーン（Ｌ１及びＬ２）の上方に配置され、前記第１のたて糸の前記ヤーンの少なくとも一部は、前記第２のたて糸の前記ヤーンに対して側方にずらされており、
‐幅方向ヤーン（Ｗ１，Ｗ２，Ｗ３及びＷ４）を有するよこ糸を有し、
‐前記第１のたて糸の前記ヤーン（Ｕ１及びＵ２）と前記よこ糸の前記ヤーン（Ｗ１，Ｗ２，Ｗ３及びＷ４）はこれら自体、第１の所定のパターンに従って互いに結合し、
‐前記第２のたて糸の前記ヤーン（Ｌ１及びＬ２）と前記よこ糸の前記ヤーン（Ｗ１，Ｗ２，Ｗ３及びＷ４）はこれら自体、第２の所定のパターンに従って互いに結合し、
‐前記第１の所定のパターンと前記第２の所定のパターンは、前記工業用布（１）の厚さ方向において少なくとも２つの互いに異なる高さ位置に前記幅方向ヤーン（Ｗ１，Ｗ２，Ｗ３及びＷ４）を有する布構造を形成している、工業用布において、
前記第１の所定のパターンは、次の通りであり、すなわち、前記第１のたて糸の前記ヤーン（Ｕ１及びＵ２）と前記よこ糸の前記ヤーン（Ｗ１，Ｗ２，Ｗ３及びＷ４）は、前記第１のたて糸の前記ヤーン（Ｕ１及びＵ２）が前記よこ糸の２本のヤーン（（Ｗ１及びＷ２）又は（Ｗ３及びＷ４））の上を、そして前記よこ糸の２本のヤーン（（Ｗ１及びＷ２）又は（Ｗ３及びＷ４））の下を繰り返し通るような仕方で互いに結合し、互いに隣接して位置する前記第１のたて糸の前記ヤーンは、偶然に選択されたたて糸ヤーンが前記よこ糸ヤーンの下に位置しているとき、前記偶然に選択されたたて糸ヤーンに隣接して位置する前記たて糸ヤーンが前記よこ糸ヤーンの上方に位置し、かくして結果として前記第１の面上に粗目状のテキスチャが得られるように配置され、
前記第２の所定のパターンは次の通りであり、すなわち、前記第２のたて糸の前記ヤーン（Ｌ１及びＬ２）と前記よこ糸の前記ヤーン（Ｗ１，Ｗ２，Ｗ３及びＷ４）は、前記第２のたて糸の前記ヤーン（Ｌ１及びＬ２）が１本のよこ糸ヤーン（Ｗ２又はＷ４）の上を、そして３本のよこ糸ヤーン（（Ｗ１，Ｗ３及びＷ４）又は（Ｗ１，Ｗ２及びＷ３））の下を繰り返し通るような仕方で互いに結合し、互いに隣接して位置する第２のたて糸の前記ヤーンは、偶然に選択されたたて糸ヤーンが前記よこ糸ヤーンの上方に位置しているとき、前記偶然に選択されたたて糸ヤーンに隣接して位置する前記たて糸ヤーンが、前記偶然に選択されたたて糸ヤーンの下に位置する前記よこ糸ヤーンから見て前記第２のよこ糸ヤーンの上方に位置するように配置され、
前記第２のたて糸の前記ヤーン（Ｌ１又はＬ２）が乗り越える前記よこ糸ヤーン（Ｗ２又はＷ４）は、前記第１のたて糸の前記ヤーン（Ｕ１又はＵ２）が乗り越える前記第２のよこ糸ヤーンである、工業用布。
【請求項２】
前記第１のたて糸の前記ヤーン（Ｕ１及びＵ２）が乗り越える前記第１のよこ糸ヤーン（Ｗ１又はＷ３）は、前記第２のよこ糸ヤーン（Ｗ２又はＷ４）と比較して大きな断面を有する、請求項１に記載の工業用布。
【請求項３】
各たて糸のたて糸カバーは、７５〜９５％である、請求項１又は２に記載の工業用布。
【請求項４】
前記第１のたて糸の前記第１のたて縦方向ヤーン（Ｕ１及びＵ２）は、フラットヤーンである、請求項１乃至３の何れか１項に記載の工業用布。
【請求項５】
前記第２のたて糸の前記第２の縦方向ヤーン（Ｌ１及びＬ２）は、フラットヤーンである、請求項１乃至４の何れか１項に記載の工業用布。
【請求項６】
前記よこ糸の前記幅方向ヤーン（Ｗ１，Ｗ２，Ｗ３及びＷ４）は、丸形または楕円形ヤーンである、請求項１乃至５の何れか１項に記載の工業用布。
【発明の詳細な説明】
【技術分野】
【０００１】
本発明は、長手方向および横方向ならびに第１の面および第２の面を備えた工業用布に関する。工業用布は、第１の縁から第２の縁まで横方向に延びている。
【背景技術】
【０００２】
公知の工業用布は、これらの厚さ方向における一平面内によこ糸ヤーンを有し、この一平面は、高圧洗浄液のジェットに垂直な面積を最大にし、かくして、ジェットは、布に十分には入り込むことができない。この結果、不適当な洗浄結果およびヤーンの損傷が生じる。
【発明の概要】
【発明が解決しようとする課題】
【０００３】
不適当な洗浄結果は、洗浄プロセス中に高い圧力（５００〜６００ｂａｒ）をもたらし、それによりヤーンの損傷が一層悪くなる。損傷したヤーンのフィブリルは、工業用布のヤーン相互間の構造に詰まり、かくしてテキスタイルの通気性が減少する。これにより走行性（runnability）の問題が生じる場合がある。さらに、高圧洗浄用の機械は、高価でありかつ脆弱である。
【課題を解決するための手段】
【０００４】
本発明の目的は、上述の問題を解決する工業用布を提供することにある。本発明の目的は、独立形式の請求項に記載されている内容によって特徴付けられた工業用布によって達成される。本発明の好ましい実施形態は、従属形式の請求項に開示されている。
【０００５】
本発明の工業用布は、これが多量の洗浄液を受け入れて洗浄液が構造中に容易に入り込むような構造を有する。さらに、汚れおよび洗浄プロセス後における洗浄液の残留物を集めることが促進される。
【０００６】
さらに、一観点によれば、工業布の第１の面は、汚れが表面を容易には埋めることのないトポグラフィを有する。
【０００７】
さらに、一観点によれば、洗浄液のジェットと接触状態にある工業用布のヤーンの損傷が減少する。
【０００８】
本発明の工業用布は、主として、抄紙機、パルプマシンまたは厚紙製造機械のフォーミング、プレスまたは乾燥区分で用いられ、すなわち、工業用布は、フォーミングファブリック、プレス区分上のファブリック、またはドライヤファブリックであるのが良い。工業用布の好ましい使用のうちの１つは、容器用板紙の製造である。工業用布は、液体、例えば水を除去する高い能力が必要な他のプロセス、例えば濾過で使用でき、すなわち、工業用布は、フィルタファブリックである。
【０００９】
工業用布は、長手方向および横方向、すなわち、それぞれ、たて糸方向およびよこ糸方向を有する。工業用布は、使用中、処理されるべき材料、例えば紙またはパルプと接触状態にある第１の面を有する。工業用布の第２の面は、機械部品、例えば抄紙機のロールの方に向く。工業用布は、工業用布の横方向において第１の縁から第２の縁まで延びる。使用中、工業用布は、エンドレス回転ループを形成する。
【００１０】
工業用布は、二重たて糸を有し、すなわち、互いに上下に位置する２本のたて糸が存在する。第１のたて糸は、第１の縦方向ヤーンを有し、第２のたて糸は、第２の縦方向ヤーンを有する。第１のたて糸のヤーンは、第２のたて糸のヤーンの上方に配置される。第１のたて糸の第１の縦方向ヤーンおよび第２のたて糸の第２の縦方向ヤーンは、フラットヤーンであるのが良い。
【００１１】
第１のたて糸のヤーンは、第２のたて糸のヤーンに対して少なくとも部分的にオフセットしており、このことは、第１のたて糸のヤーンの少なくとも一部が第２のたて糸のヤーンに対して側方にずらされることを意味する。しかしながら、第１のたて糸のすべてのヤーンが第２のたて糸のヤーンに対してオフセットすることが可能である。各たて糸のたて糸カバーは、好ましくは、７５〜９５％である。
【００１２】
工業用布のクリーニングは、第１および第２のたて糸のヤーンが互いにオーバーラップしていることにより促進され、というのは、スリットおよびチャネルがたて糸ヤーン相互間に形成されるからである。汚れは、工業用プロセスにおいてその使用中、工業用布の第１の面上に容易には堆積しない。工業用布が洗浄されると、高圧洗浄液のジェットが構造にスリットおよびチャネルが設けられていることに起因して工業用布の構造中に入り込む。
【００１３】
布のクリーニングの促進に加えて、互いにオーバーラップしたたて糸ヤーンを有する二重たて糸は、布を強固にかつ耐摩耗にする。互いに上下に位置するたて糸が少なくとも部分的にオフセットしているので、布は、安定性がある。継ぎ目が布の両端を互いに結合するよう形成されると、この継ぎ目はまた、たて糸ヤーンが互いにオフセットしているので強固である。
【００１４】
工業用布は、幅方向ヤーンを備えたよこ糸を有する。よこ糸の幅方向ヤーンは、丸形ヤーンであるのが良く、すなわち、これらの断面は、円形でありまたはこれらは楕円形ヤーンであるのが良く、すなわち、これらの断面が楕円形である。幅方向ヤーンは、通常、モノフィラメントである。
【００１５】
幅方向ヤーン、すなわちよこ糸ヤーンは、高圧洗浄液のジェットが布を貫通して効果的に案内されるような仕方で位置決めされている。ジェットは、これが工業用布の第１の面に出会うある特定の角度を有する。ジェットは、例えば、高圧クリーナーに由来するのが良く、この高圧クリーナーは、それ自体抄紙機または板紙抄紙機のところに位置するものとして知られている。ジェットの出会う表面積は、よこ糸ヤーンを工業用布の厚さ方向において少なくとも２つの互いに異なる高さ位置に位置決めすることによって最小限に抑えられ、すなわち、工業用布は、所定の回転方向を有し、よこ糸ヤーンの一部は、高圧洗浄液のジェットに対して他のよこ糸ヤーンの後ろに位置する。
【００１６】
よこ糸ヤーンの位置は、ウィーブによって制御される。第１のたて糸のヤーンとよこ糸のヤーンは、これら自体、第１の所定のパターンに従って互いに結合し、第２のたて糸のヤーンとよこ糸のヤーンは、これら自体、第２の所定の方向に従って互いに結合する。
【００１７】
一実施形態によれば、工業用布の第１の面上に粗目状テキスチャを有することが有益であり、というのは、汚れがかかる面を容易には埋めないからである。換言すると、工業用布の第１の面上には多くの接触点が存在するが、接触領域は少ない。粗目状テキスチャは、短いヤーンフロートによって達成される。例えば、第１の所定のパターンは、第１のたて糸のヤーンとよこ糸のヤーンが互いに結合して第１のたて糸のヤーンがよこ糸の２本のヤーンの上を、そしてよこ糸の２本のヤーンの下を繰り返し通るように互いに結合するような仕方で形成されるのが良い。互いに隣接して位置する第１のたて糸のヤーンは、偶然に選択されたたて糸ヤーンがよこ糸ヤーンの下に位置しているとき、偶然に選択されたたて糸ヤーンに隣接して位置するたて糸ヤーンがよこ糸ヤーンの上方に位置するよう配置されている。この結果、第１の面上に粗目状テキスチャが得られ、すなわち、布の面は、粒で覆われているように見える。
【００１８】
上述の実施形態によれば、第２の所定のパターンは、次のように形成されるのが良く、すなわち、第２のたて糸のヤーンとよこ糸のヤーンは、第２のたて糸のヤーンが１本のよこ糸ヤーンの上を、そして３本のよこ糸ヤーンの下を繰り返し通るような仕方で互いに結合する。互いに隣接して位置する第２のたて糸のヤーンは、偶然に選択されたたて糸ヤーンがよこ糸ヤーンの上方に位置しているとき、偶然に選択されたたて糸ヤーンに隣接して位置するたて糸ヤーンが、偶然に選択されたたて糸ヤーンの下に位置するよこ糸ヤーンから見て第２のよこ糸ヤーンの上方に位置するように配置される。第２のたて糸のヤーンが乗り越えるよこ糸ヤーンは、第１のたて糸のヤーンが乗り越える第２のよこ糸ヤーンである。
【００１９】
以下において、図面を参照して好ましい実施形態において本発明を詳細に説明する。
【図面の簡単な説明】
【００２０】
【図１】工業用布の方向を説明する上から見た図である。
【図２】工業用布の斜視図である。
【図３】図２の工業用布の第１の面の略図である。
【図４】図２の工業用布の断面図である。
【発明を実施するための形態】
【００２１】
図１は、工業用の布を上から見た状態で示している。工業用布１の第１の面は、上側である。工業用布１は、幅方向ＣＭＤおよび縦方向ＭＤを有する。幅方向ＣＭＤは、よこ糸方向に一致し、縦方向は、たて糸方向、すなわち工業用布１の長手方向に一致している。工業用布１は、第１の縁Ｅ１から第２の縁Ｅ２まで延びている。
【００２２】
図２は、第１の面を上にした状態の工業用布１の斜視図である。工業用布１は、第１のたて糸のヤーンＵ１，Ｕ２および第２のたて糸のヤーンＬ１，Ｌ２を有する。ヤーンＵ１，Ｌ１は、本質的に互いに上下に位置するが、ヤーンＵ２，Ｌ２は、互いにオフセットしており、すなわち、ヤーンＵ２は、ヤーンＬ２に対して側方にずらされている。しかしながら、ヤーンＵ１，Ｌ１もまたオフセットすることが可能である。ヤーンＵ１，Ｕ２，Ｌ１，Ｌ２は、通常、モノフィラメントヤーンであり、これらは、フラットヤーンであるのが良い。各たて糸のたて糸カバーは、好ましくは、７５〜９５％である。例えば、たて糸フラットヤーンは、０．７５ｍｍの幅を有するのが良く、１００ｍｍ当たり２３０本のたて糸ヤーンが設けられるのが良く、各たて糸には１１５本のヤーンが設けられるのが良い。この場合、たて糸カバーは、０．７５ｍｍ×１１５／１００ｍｍ＝８６％である。
【００２３】
工業用布１は、よこ糸のヤーンＷ１，Ｗ２，Ｗ３，Ｗ４を更に有する。ヤーンＷ１，Ｗ２，Ｗ３，Ｗ４は、通常、モノフィラメントヤーンであり、これらは、丸形または楕円形ヤーンであるのが良い。上述の要素は、工業用布１中に繰り返し存在し、したがって、これらの要素がどのように結合されているかを説明するのに適している。
【００２４】
ヤーンＵ１，Ｗ１，Ｗ２，Ｗ３，Ｗ４は、ヤーンＵ１がヤーンＷ３，Ｗ４の上を、そしてヤーンＷ１，Ｗ２の下を繰り返し通るよう第１の所定のパターンに従って互いに結合している。ヤーンＵ１に隣接して位置するヤーンＵ２は、ヤーンＷ３，Ｗ４の下を、そしてヤーンＷ１，Ｗ２の上を繰り返し通っている。この結果、図２に見えるように第１の面上には粗目状のテキスチャが得られる。個々の目は、符号２で示されている。
【００２５】
ヤーンＬ１，Ｗ１，Ｗ２，Ｗ３，Ｗ４は、ヤーンＬ１がヤーンＷ４の上を、そしてヤーンＷ１，Ｗ２，Ｗ３の下を繰り返し通るよう第２の所定のパターンに従って互いに結合している。ヤーンＬ１に隣接して位置するヤーンＬ２は、ヤーンＷ２の上を、そしてヤーンＷ１，Ｗ３，Ｗ４の下を繰り返し通っている。
【００２６】
ヤーンＷ１，Ｗ２は、第１の所定のパターンに関して同一のシェッド（shed）内にあり、ヤーンＷ３，Ｗ４は、第１の所定のパターンに関して同一のシェッド内にある。ヤーンＬ１がヤーンＷ４の上を通りかつヤーンＬ２がヤーンＷ２の上を通っているとき、ヤーンＷ２，Ｗ４は、ヤーンＷ１，Ｗ３に対して下向きに押される。よこ糸ヤーンＷ３およびよこ糸ヤーンＷ４は、たて糸ヤーンＬ１と一緒になって、第１のたて糸ヤーンＵ１を下で支持し、よこ糸ヤーンＷ１およびよこ糸ヤーンＷ２は、たて糸ヤーンＬ２と一緒になって、第２のたて糸ヤーンＵ２を下で支持する。第１のたて糸の１つ置きのヤーン（Ｕ１またはＵ２）は、２本のよこ糸ヤーン（Ｗ１およびＷ２；またはＷ３およびＷ４）の上を通り、第２のたて糸の１つ置きのヤーン（Ｌ１またはＬ２）は、１本のよこ糸ヤーン（Ｗ２またはＷ４）の上を通るので、連続したうね（ridge ）Ｒが形成される。うねは、第１の縁Ｅ１から第２の縁Ｅ２まで延びている。
【００２７】
図３は、工業用布１の長手方向における工業用布１の第１の面の略図である。布１の回転方向は、矢印Ｔで示されている。第１の面の輪郭は、一連の非対称うねＲで形成されている。外形は、互いに平行なたて糸ヤーンＵ１，Ｕ２で形成されている。
【００２８】
図４は、洗浄プロセス中における図２の工業用布１の断面図である。ウィーブ、すなわち、ヤーンがこれら自体どのように結合しているかは、図２と関連して説明される。図４では、洗浄液の高圧ジェット４を工業用布１の方へ差し向けるクリーニングヘッド３が設けられている。工業用布１は、所定の回転方向Ｔを有する。ジェット４が工業用布１に当たると、洗浄液は、たて糸ヤーン、すなわち図２のヤーンＵ２，Ｌ２が互いにオフセットしているので、布１中に形成されているチャネルを通って布１中に入り込む。布１の第２の面上には空間Ｃが存在する。空間Ｃにより、洗浄液は、布１の構造全体を貫通することが可能である。
【００２９】
よこ糸のヤーンＷ１，Ｗ２，Ｗ３，Ｗ４は、ジェット４の当たる布１の表面積が最小限に抑えられ、かくして工業用布１中に入り込む洗浄液の量が最大になるように位置決めされている。よこ糸ヤーンＷ１，Ｗ２，Ｗ３，Ｗ４は、ジェット４を布１中に導く。
【００３０】
工業用布１の第１の面上には空間Ｄが存在する。たて糸ヤーンの走行経路の形状およびよこ糸ヤーンの位置決めにより空間Ｄ内には負圧が生じる。負圧は、汚れおよび洗浄液の残留物を除去するとともに集めるのを促進する。工業用布１の第１の面上のたて糸ヤーンＵ１，Ｕ２の非対称走行経路は、たて糸ヤーンの摩耗およびフィブリル化を減少させる。
【００３１】
技術の向上につれて本発明の概念を種々の仕方で具体化できることは当業者には明らかであろう。本発明およびその実施形態は、上述の実施例には限定されず、特許請求の範囲に記載された本発明の範囲内で様々であって良い。
【図１】
0006875528.tif 000002
【図２】
0006875528.tif 000003
【図３】
0006875528.tif 000004
【図４】
0006875528.tif 000005